【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】  入り口末端部、出口末端部、前記入り口末端部から前記出口末端部に伸びる軸の回りにある壁要素および前記壁要素で限定されていて軸の回りを囲んでいる通路を多数含んでいて前記通路の少なくともいくつかが前記入り口末端部の所に通路入り口を有しかつ前記出口末端部の所に通路出口を有する基質、
前記壁の上に局在していて前記入り口末端部から前記出口末端部に向かう長さの一部のみに広がるように前記入り口末端部から前記出口末端部に向かう長さの中の少なくとも入り口層の軸方向末端部に至るまでの一部に広がっている１番目の入り口層、
を含んで成っていて、前記１番目の入り口層が、１番目の入り口用卑金属酸化物から選択される少なくとも１種の１番目の入り口用成分を含んで成る１番目の入り口用組成物を含んで成り、ここで、前記１番目の入り口層が、
前記１番目の入り口用組成物を含有する流体を前記基質の入り口末端部の中に入り込ませることで前記１番目の入り口層を生じさせ、そして
前記１番目の入り口層の長さが有意に変化しないようにしながら前記出口末端部に真空をかけると同時に加熱された気体流れを前記入り口末端部から前記通路の中に強制的に送り込む、
段階を含んで成る方法で被覆されたものである製品。
【請求項２】  更に
前記壁の上に局在しそして前記１番目の入り口層の長さの少なくとも一部に渡って前記１番目の入り口層に直接または間接的に支持されていて前記入り口末端部から前記出口末端部に向かう長さの中の少なくとも２番目の層の軸方向末端部に至るまでの一部に広がっている２番目の入り口層、
も含んで成っていて、前記２番目の層が、２番目の入り口用卑金属酸化物から選択される少なくとも１種の２番目の入り口用成分を含んで成る２番目の入り口用組成物を含んで成り、ここで、前記２番目の入り口層が、
前記少なくとも１種の２番目の入り口用組成物を含有する流体を前記基質の入り口末端部の中に入り込ませることで前記２番目の入り口層を生じさせ、そして
前記２番目の入り口層の長さが有意に変化しないようにしながら前記出口末端部に真空をかけると同時に加熱された気体流れを前記入り口末端部から前記通路の中に強制的に送り込む、
段階を含んで成る方法で被覆されたものである請求項１記載の製品。
【請求項３】  更に
前記壁の上に局在していて前記出口末端部から前記入り口末端部に向かう長さの一部のみに広がるように前記出口末端部から前記入り口末端部に向かう長さの中の少なくとも出口層の軸方向末端部に至るまでの一部に広がっている１番目の出口層、
も含んで成っていて、前記１番目の出口層が、１番目の出口用卑金属酸化物から選択される少なくとも１種の１番目の出口用成分を含んで成る１番目の出口用組成物を含んで成り、ここで、前記１番目の出口層が、
前記１番目の出口用組成物を含有する流体を前記基質の出口末端部の中に入り込ませることで前記１番目の出口層を生じさせ、そして
前記１番目の出口層の長さが有意に変化しないようにしながら前記入り口末端部に真空をかけると同時に加熱された気体流れを前記出口末端部から前記通路の中に強制的に送り込む、
段階を含んで成る方法で被覆されたものである請求項１記載の製品。
【請求項４】  更に
前記壁の上に局在しそして前記１番目の出口層の長さの少なくとも一部に渡って前記１番目の出口層に直接または間接的に支持されていて前記出口末端部から前記入り口末端部に向かう長さの中の少なくとも２番目の層の軸方向末端部に至るまでの一部に広がっている２番目の出口層、
も含んで成っていて、前記２番目の層が、２番目の出口用卑金属酸化物から選択される少なくとも１種の２番目の出口用成分を含んで成る２番目の出口用組成物を含んで成り、ここで、前記２番目の出口層が、
前記少なくとも１種の２番目の出口用組成物を含有する流体を前記基質の出口末端部の中に入り込ませることで前記２番目の出口層を生じさせ、そして
前記２番目の出口層の長さが有意に変化しないようにしながら前記入り口末端部に真空をかけると同時に加熱された気体流れを前記出口末端部から前記通路の中に強制的に送り込む、
段階を含んで成る方法で被覆されたものである請求項３記載の製品。
【請求項５】  前記加熱された気体が空気である請求項１、２、３または４記載の製品。
【請求項６】  前記加熱された気体の温度が、各層を被覆した後でありそして次の層を被覆する前に各層を熱処理するように、７５℃から４００℃である、請求項１、２、３または４記載の製品。
【請求項７】  前記加熱された気体の温度が、各層が乾燥するように、７５℃から２００℃である請求項６記載の製品。
【請求項８】  前記１番目または２番目の入り口層の少なくとも１種の少なくとも一部と前記１番目または２番目の出口層の少なくとも１種が重なっている請求項３または４記載の製品。
【請求項９】  前記基質が前記入り口から前記出口に向かって伸びる多数の平行な通路を含んで成るモノリス型ハニカムを構成している請求項１、２、３または４記載の製品。
【請求項１０】  前記ハニカムがフロースルーモノリスおよびウォールフローモノリスを包含する群から選択される請求項９記載の製品。
【請求項１１】 前記ハニカムがウォールフローモノリスである、請求項９記載の製品。
【請求項１２】 入り口末端部、出口末端部、前記入り口末端部から前記出口末端部に伸びる軸の回りにある壁要素および前記壁要素で限定されていて軸の回りを囲んでいる通路を多数含んでいる基質、および、
前記壁の上に局在していて前記入り口末端部から前記出口末端部に向かう長さの一部のみに広がるように前記入り口末端部から前記出口末端部に向かう長さの中の少なくとも入り口層の軸方向末端部に至るまでの一部に広がっている１番目の入り口層、を含んで成っていて、前記１番目の入り口層が、１番目の入り口用卑金属酸化物から選択される少なくとも１種の１番目の入り口用成分を含んで成る１番目の入り口用組成物を含んで成る、
製品。
【請求項１３】 更に
前記壁の上に局在しそして前記１番目の入り口層の長さの少なくとも一部に渡って前記１番目の入り口層に直接または間接的に支持されていて前記入り口末端部から前記出口末端部に向かう長さの中の少なくとも２番目の層の軸方向末端部に至るまでの一部に広がっている２番目の入り口層、も含んで成っていて、前記２番目の層が、２番目の入り口用卑金属酸化物から選択される少なくとも１種の２番目の入り口用成分を含んで成る２番目の入り口用組成物を含んで成る、
請求項１記載の製品。
【請求項１４】 更に
前記壁の上に局在していて前記出口末端部から前記入り口末端部に向かう長さの一部のみに広がるように前記出口末端部から前記入り口末端部に向かう長さの中の少なくとも出口層の軸方向末端部に至るまでの一部に広がっている１番目の出口層、も含んで成っていて、前記１番目の出口層が、１番目の出口用卑金属酸化物から選択される少なくとも１種の１番目の出口用成分を含んで成る１番目の出口用組成物を含んで成る、
請求項１２記載の方法。
【請求項１５】 更に
前記壁の上に局在しそして前記１番目の出口層の長さの少なくとも一部に渡って前記１番目の出口層に直接または間接的に支持されていて前記出口末端部から前記入り口末端部に向かう長さの中の少なくとも２番目の層の軸方向末端部に至るまでの一部に広がっている２番目の出口層、
も含んで成っていて、前記２番目の層が、２番目の出口用卑金属酸化物から選択される少なくとも１種の２番目の出口用成分を含んで成る２番目の出口用組成物を含んで成る、
請求項１４記載の方法。
【請求項１６】 前記基質が少なくとも２つの隣接するゾーン、即ち各々が導管の長さに沿って軸方向に広がっている１番目のゾーンと２番目のゾーンを有していて、前記１番目のゾーンが前記入り口から広がりそして前記２番目のゾーンが前記出口末端部から前記１番目のゾーンとは別の前記導管の長さに沿って広がっており、前記ゾーンに関して各ゾーンが同じ触媒構成を含んで成る、請求項１、２、３、４または１２記載の製品。
【請求項１７】 前記１番目のゾーンの少なくとも１つの層と前記２番目のゾーンの少なくとも１つの層が重なって前記１番目のゾーンと前記２番目のゾーンの間に少なくとも１つの中間ゾーンを形成している、請求項１６記載の製品。
【請求項１８】 被覆されていないゾーンが前記１番目のゾーンと前記２番目のゾーンの間に存在する請求項１６記載の製品。
【請求項１９】 少なくとも３ゾーン存在する請求項１６記載の製品。
【請求項２０】 少なくとも１層が貴金属成分を含有していない請求項１、２、３、４または１２記載の製品。
【請求項２１】 少なくとも１つの入り口層が、アルミナ、チタニア、ジルコニアおよびシリカから成る群から選択される入り口用耐火性酸化物組成物または複合体、入り口用希土類金属酸化物、入り口用遷移金属酸化物、入り口用アルカリ土類金属酸化物および入り口用ゼオライトから成る群から選択される少なくとも１つの入り口用卑金属酸化物、および少なくとも１つの入り口用貴金属成分を含んで成る、入り口用組成物を含んでなり、そして、
少なくとも１つの出口層が、アルミナ、チタニア、ジルコニアおよびシリカから成る群から選択される出口用耐火性酸化物組成物または複合体、出口用希土類金属酸化物、出口用遷移金属酸化物および第1の出口用アルカリ土類金属酸化物および出口用ゼオライトから成る群から選択される少なくとも１つの出口用卑金属酸化物、および少なくとも１つの出口用貴金属成分を含んで成る、出口用組成物を含んでなる、
請求項１、２、３、４または１２記載の製品。
【請求項２２】 前記入り口用組成物が酸素貯蔵成分を実質的に全く含有していない請求項２１記載の製品。
【請求項２３】 前記出口用組成物の少なくとも１つが酸素貯蔵成分を含有している請求項２１記載の製品。
【請求項２４】  入り口末端部、出口末端部、前記入り口末端部から前記出口末端部に至る範囲の間に広がる壁要素、および軸の回りを囲んでいる前記壁要素で限定されていて少なくともいくつかが前記入り口末端部の所に通路入り口を有しかつ前記出口末端部の所に通路出口を有する通路を多数含んで成る基質の中に入り口末端部用コーティング組成物を含んで成る入り口末端部用流体を入り込ませることで、前記水性液体を前記通路の入り口の中に入り込ませ、そして少なくとも１層の入り口末端部被膜が前記入り口末端部から前記出口末端部に向かう長さの一部のみに広がるように、前記水性液体を前記入り口末端部から前記出口末端部に向かう長さの少なくとも一部に広がらせることで、入り口末端部被膜層を生じさせ、
入り口末端部被膜の各々を生じさせた後、入り口被膜層の各々の長さが有意に変化しないようにしながら前記出口末端部に真空をかけると同時に気体流れを前記入り口末端部から前記通路の中に強制的に送り込み、
出口末端部用コーティング組成物を含んで成る出口末端部用水性流体を前記基質の中に前記基質の出口末端部の所の通路出口に少なくともある程度入り込ませることで、前記水性液体を前記通路の中に入り込ませ、そして前記水性流体を前記出口末端部から前記入り口末端部に向かう長さの少なくとも一部に広がらせることで、少なくとも１層の出口末端部被膜層を生じさせる、
ことを含んで成る方法。
【請求項２５】  更に、出口末端部被膜の各々を生じさせた後、出口被膜層の各々の長さが有意に変化しないようにしながら前記入り口末端部に真空をかけると同時に気体流れを前記出口末端部から前記通路の中に強制的に送り込むことも含んで成る請求項２４記載の方法。
【請求項２６】  入り口末端部、出口末端部、前記入り口末端部から前記出口末端部に伸びる軸の回りにある壁要素、および前記壁要素で限定されていて軸の回りを囲んでいる通路を多数含んでいて前記通路の少なくともいくつかが前記入り口末端部の所に通路入り口を有しかつ前記出口末端部の所に通路出口を有する基質を被覆する方法であって、
ａ）前記基質の入り口末端部の所を部分的に１番目のコーティング組成物が入っている容器の中に少なくとも一度浸漬することで、前記壁の上に局在しておりそして少なくとも１層の入り口末端部被膜が前記入り口末端部から前記出口末端部に向かう長さの一部のみに広がるように前記入り口末端部から前記出口末端部に向かう長さの少なくとも一部に広がっている１番目の層を生じさせ、
ｂ）前記基質の出口末端部の所を部分的に２番目のコーティング組成物が入っている容器の中に少なくとも一度浸漬することで、前記壁の上に局在しておりそして前記出口末端部から前記入り口末端部に向かう長さの少なくとも一部に広がっている２番目の層を生じさせ、そして
ｃ）各浸漬段階後に前記基質を熱処理することで、少なくとも２つのゾーン、即ち各々が前記通路に沿って広がっていて前記入り口末端部から広がる１番目のゾーンと前記１番目のゾーンとは別の前記通路の長さに沿って広がっている２番目のゾーンを生じさせる、
段階を含んで成る方法。
【請求項２７】  更に、各層を被覆した後でありそして次の層を被覆する前に各層を熱で固着させる段階も含んで成る請求項２６記載の方法。
【請求項２８】  更に、全ての層の被覆が終了した時点で前記基質の熱処理を２００℃から４００℃で１から１０秒間行う段階も含んで成る請求項２６記載の方法。
【請求項２９】  前記通路の被覆されていない部分を前記１番目のゾーンと２番目のゾーンの間に存在させる請求項２６記載の方法。
【請求項３０】  窒素酸化物、一酸化炭素および炭化水素を含んで成る気体を請求項１、２、３、４または１２記載の製品に接触させる段階を含んで成る方法。
【請求項３１】  前記ハニカムがウォールフローモノリスである請求項２６記載の方法。